(57)【要約】【課題】動画像情報の復号処理に過大な負荷をかけることなく特殊再生を可能とする画像情報記録装置、画像情報再生装置、及び当該画像情報記録装置で符号化された動画像情報を通常の再生装置で再生可能とする画像情報変換装置を提供する。【解決手段】本発明に係る画像情報記録装置、画像情報再生装置によれば、画像パケットにピクチャタイプに応じたパケット識別子を割当て、さらに識別子マスクを有する再生速度情報を情報パケットに記述して記録し、再生時には識別子マスクを用いて識別子照合を行うことで、再生に必要な画像パケットのみを復号する。よって、復号部が通常速度に対応した復号処理能力しか備えていない場合でも、円滑な特殊再生が可能となる。また、本発明に係る画像情報変換装置によれば、画像情報記録装置で記録された動画像情報を通常の再生機器で再生可能なように変換することができる。【選択図】図１
2009225340.tif 000002
【特許請求の範囲】
【請求項１】
動画像情報をパケット化し多重化ストリームとして記録する画像情報記録装置において、
前記動画像情報を再生するときの再生速度を複数設定する再生速度設定部と、
前記再生速度に対応する配列順に前記動画像情報の各ピクチャをＭＰＥＧビデオ規格に準拠したピクチャタイプの符号化データとなるように符号化する符号化部と、
前記符号化データに割り当てるパケット識別子を前記再生速度の設定数に応じて設定する識別子設定部と、
前記パケット識別子を照合する際のマスク処理に用いる識別子マスクを前記再生速度に応じて設定するとともに、当該識別子マスクを有する再生速度情報を前記再生速度ごとに作成する速度情報作成部と、
前記符号化データに前記パケット識別子をピクチャタイプに応じて割り当てて画像パケット化するとともに、画像パケットを認識するためのビデオ識別子を記録した識別子情報を有するシステムデータに前記再生速度情報を記述して情報パケット化し、前記画像パケットと前記情報パケットとを含む多重化ストリームを生成する多重化部と、
前記多重化ストリームを所定の記録媒体に記録する記録部と、
を有することを特徴とする画像情報記録装置。
【請求項２】
請求項１記載の画像情報記録装置で記録された多重化ストリームを記録媒体から読み出す読出部と、
読み出された前記多重化ストリームに多重化された画像パケットのパケット識別子を取得する識別子取得部と、
後段の識別子照合部の指示に基づき前記多重化ストリーム中の各パケットを振分けることで、情報パケットをシステムデータ解析部に出力し、所定のパケット識別子を有する画像パケットを復号部に出力するデータ振分け部と、
前記データ振分け部で振分けられた画像パケットを復号する復号部と、
前記データ振分け部で振分けられた前記情報パケットから前記識別子情報と前記再生速度情報とを取得するシステムデータ解析部と、
前記多重化ストリームの再生可能速度を前記再生速度情報から取得し、当該再生可能速度の中から前記多重化ストリームの再生速度を選択する再生速度選択部と、
前記再生速度選択部で選択された再生速度と対応した前記再生速度情報から前記識別子マスクを取得する識別子マスク取得部と、
前記識別子取得部で取得された画像パケットのパケット識別子と前記システムデータ解析部で取得された前記識別子情報に記録されているビデオ識別子とに対し、画像パケットのパケット識別子と前記ビデオ識別子との照合に関与するビットのみに前記識別子マスクによる前記再生速度に応じたマスク処理を施した上で照合を行い、マスク処理の施されるビットの範囲が前記識別子マスクによって変化することで、前記再生速度の再生に必要な画像パケットのパケット識別子と前記ビデオ識別子とを適合させて画像パケットとして認識させ、適合したパケット識別子を有する画像パケットに対し前記復号部への振分け指示を行うとともに、前記情報パケットに対し所定の振分け指示を行う識別子照合部と、
を有することを特徴とする画像情報再生装置。
【請求項３】
請求項１記載の画像情報記録装置で記録された多重化ストリームを記録媒体から読み出す読出部と、
読み出された前記多重化ストリームに多重化された画像パケットのパケット識別子を取得する識別子取得部と、
後段の識別子照合部の指示に基づき、前記多重化ストリーム中の情報パケットをシステムデータ解析部に出力し、所定のパケット識別子を有する画像パケットを識別子書換部に出力し、情報パケット及び画像パケットを除いたパケットを多重化部に出力するデータ振分け部と、
前記データ振分け部で振分けられた前記情報パケットから前記識別子情報と前記再生速度情報とを取得するとともに、当該情報パケットを再生速度情報除去部に出力するシステムデータ解析部と、
通常の再生速度と対応した前記再生速度情報から前記識別子マスクを取得する識別子マスク取得部と、
前記識別子取得部で取得された画像パケットのパケット識別子と前記識別子情報に記録されたビデオ識別子とに対し、画像パケットのパケット識別子と前記ビデオ識別子との照合に関与するビットのみに前記識別子マスクによる通常再生に応じたマスク処理を施した上で照合を行い、通常再生に必要な画像パケットのパケット識別子と前記ビデオ識別子とを適合させて画像パケットとして認識させ、適合したパケット識別子を有する画像パケットに対し識別子書換部への振分け指示を行うとともに、前記情報パケットに対し所定の振分け指示を行う識別子照合部と、
前記データ振分け部で振分けられた画像パケットのパケット識別子を前記ビデオ識別子に書換える識別子書換部と、
前記システムデータ解析部から出力された前記情報パケットから前記再生速度情報を除去する再生速度情報除去部と、
前記識別子書換部により識別子が書換えられた画像パケットと、前記再生速度情報除去部により再生速度情報が除去された情報パケットと、前記データ振分け部で振分けられたパケットと、を多重化して多重化ストリームを生成する多重化部と、
前記多重化部で生成された多重化ストリームを所定の記録媒体に記録する記録部と、
を有することを特徴とする画像情報変換装置。
【発明の詳細な説明】
【技術分野】
【０００１】
本発明は、動画像情報を通常速度とは異なる速度で再生可能とする画像情報記録装置、画像情報再生装置、及び画像情報変換装置に関するものである。
【背景技術】
【０００２】
昨今のデジタル技術の発展により動画像をデジタル情報として記録することが可能となり、それに伴い小型軽量なデジタル撮影装置が開発され広く一般に普及した。これら動画像をデジタル化して記録する際には、記録する情報量の低減のため取得した動画像情報を圧縮符号化した後に記録媒体等に記録することが一般的である。これら圧縮符号化の方式としては、ＭＰＥＧ−２（Ｍｏｖｉｎｇ  Ｐｉｃｔｕｒｅ  Ｅ×ｐｅｒｔｓ  Ｇｒｏｕｐ）ビデオ規格（ＩＳＯ／ＩＥＣ  １３８１８−２）に代表される圧縮符号化方式が標準化され普及している［非特許文献１］。
【０００３】
上記のＭＰＥＧ−２ビデオ規格では映像を構成する各画像（ピクチャ）をピクチャ単位で圧縮符号化して情報量の低減を図る圧縮符号化方式である。そして、ＭＰＥＧ−２ビデオ規格で圧縮符号化されたピクチャの種類としては、一枚のピクチャを静止画像としてピクチャ内符号化したＩピクチャ（ｉｎｔｒａ−ｃｏｄｅｄ  ｐｉｃｔｕｒｅ）と、過去のピクチャを参照ピクチャとしてピクチャ間予測を行い符号化したＰピクチャ（ｐｒｅｄｉｃｔｉｖｅ−ｃｏｄｅｄ  ｐｉｃｔｕｒｅ）と、過去及び未来のピクチャを参照ピクチャとしてピクチャ間予測を行い符号化したＢピクチャ（ｂｉｄｉｒｅｔｉｏｎａｌｌｙ  ｐｒｅｄｉｃｔｉｖｅ−ｃｏｄｅｄ  ｐｉｃｔｕｒｅ）との３種類のピクチャタイプがある。
【０００４】
また、上記の圧縮符号化方式をさらに進歩させた、ＭＰＥＧ−４  ＡＶＣ規格（ＩＳＯ／ＩＥＣ  １４４９６−１０  Ａｄｖａｎｃｅｄ  Ｖｉｄｅｏ  Ｃｏｄｉｎｇ）も実用化されている［非特許文献２］。前述のＭＰＥＧ−２ビデオ規格では基本的にＩピクチャとＰピクチャとを参照ピクチャとして用いＢピクチャを参照ピクチャとすることはなかったが、ＭＰＥＧ−４  ＡＶＣ規格ではＢピクチャも参照ピクチャとして用いることが可能となり、ＭＰＥＧ−２ビデオ規格よりもさらに高能率な圧縮符号化を実現している。
【０００５】
これら、ＭＰＥＧ−２ビデオ規格やＭＰＥＧ−４  ＡＶＣ規格で符号化された画像情報列であるビデオストリームはＭＰＥＧ−２システム規格（ＩＳＯ／ＩＥＣ  １３８１８−１）により音声情報列であるオーディオストリームと多重化されることが一般的である［非特許文献３］。
【０００６】
そして近年、記録された動画像情報を通常の再生速度とは異なる速度で特殊再生することが要求されており、よって動画像情報を再生する画像情報再生装置には特殊再生を可能とする機能が求められている。
【０００７】
ＭＰＥＧ−２システム規格で多重化された動画像情報を特殊再生する場合、多重化ストリーム中のビデオデータ（画像パケット）にランダムアクセスし、特殊再生に必要なピクチャの画像パケットのみを復号し再生する方法が考えられる。ここで、下記［特許文献１］では、多重化ストリームとは別に作成されたランダムアクセスのための情報を用いて、特殊再生に必要な画像パケットへのランダムアクセスを容易に行う方法が開示されている。
【０００８】
【非特許文献１】Ｉｎｆｏｒｍａｔｉｏｎ  Ｔｅｃｈｎｏｌｏｇｙ−Ｇｅｎｅｒｉｃ  Ｃｏｄｉｎｇ  ｏｆ  Ｍｏｖｉｎｇ  Ｐｉｃｔｕｒｅｓ  ａｎｄ  Ａｓｓｏｃｉａｔｅｄ  Ａｕｄｉｏ：Ｖｉｄｅｏ（ＩＴＵ−Ｔ  Ｒｅｃ．  Ｈ．２６２  ｜  ＩＳＯ／ＩＥＣ  １３８１８−２）  １９９５年
【０００９】
【非特許文献２】Ｉｎｆｏｒｍａｔｉｏｎ  Ｔｅｃｈｎｏｌｏｇｙ−Ｃｏｄｉｎｇ  ｏｆ  ａｕｄｉｏ−Ｖｉｓｕａｌ  ｏｂｊｅｃｔｓ  −  Ｐａｒｔ１０：Ａｄｖａｎｃｅｄ  Ｖｉｄｅｏ  Ｃｏｄｉｎｇ（ＩＴＵ−Ｔ  Ｒｅｃ．  Ｈ．２６４  ｜  ＩＳＯ／ＩＥＣ  １４４９６−１０  ＡＶＣ）  ２００３年
【非特許文献３】Ｉｎｆｏｒｍａｔｉｏｎ  Ｔｅｃｈｎｏｌｏｇｙ−Ｇｅｎｅｒｉｃ  Ｃｏｄｉｎｇ  ｏｆ  Ｍｏｖｉｎｇ  Ｐｉｃｔｕｒｅｓ  ａｎｄ  Ａｓｓｏｃｉａｔｅｄ  Ａｕｄｉｏ：  Ｓｙｓｔｅｍ（ＩＴＵ−Ｔ  Ｒｅｃ．  Ｈ．２６２  ｜  ＩＳＯ／ＩＥＣ  １３８１８−１）  １９９５年
【特許文献１】特開２００４−２２１９１８号公報
【発明の開示】
【発明が解決しようとする課題】
【００１０】
しかしながら、［特許文献１］に開示された発明によるランダムアクセスはＩピクチャのみであるため、Ｉピクチャのみの極めて限定的な特殊再生しかできないという問題点がある。また、Ｉピクチャ以外のピクチャを用いて特殊再生を行う場合、ＭＰＥＧ−２ビデオ規格のようなフレーム間予測を用いた符号化方式では、Ｉピクチャ以外のピクチャを復号するために参照ピクチャの復号が必要不可欠であり、このため復号部には通常再生時以上の高い復号処理能力が要求される。このような、通常再生よりも高い復号処理能力が求められる上記の特殊再生方法は、現在の動画像の高精細化とそれに伴う動画像情報の増大化をふまえればより復号処理に大きな負担を掛けるものであり、復号処理能力の面からは好適とはいえない。よって、復号処理に過大な負荷のかからない特殊再生方法とそれを達成するための画像情報記録装置、画像情報再生装置の実現が望まれる。
【００１１】
本発明は、上記事情に鑑みてなされたものであり、符号化された動画像情報の復号処理に過大な負荷をかけることなく円滑な特殊再生を可能とする画像情報記録装置、画像情報再生装置、及び当該画像情報記録装置で符号化された動画像情報を通常の再生装置にて再生可能とする画像情報変換装置を提供することを目的とする。
【課題を解決するための手段】
【００１２】
本発明は、
（１）動画像情報をパケット化し多重化ストリームとして記録する画像情報記録装置において、
前記動画像情報を再生するときの再生速度を複数設定する再生速度設定部１２と、
前記再生速度に対応する配列順に前記動画像情報の各ピクチャをＭＰＥＧビデオ規格に準拠したピクチャタイプの符号化データとなるように符号化する符号化部１４と、
前記符号化データに割り当てるパケット識別子を前記再生速度の設定数に応じて設定する識別子設定部１５と、
前記パケット識別子を照合する際のマスク処理に用いる識別子マスクを前記再生速度に応じて設定するとともに、当該識別子マスクを有する再生速度情報を前記再生速度ごとに作成する速度情報作成部１６と、
前記符号化データに前記パケット識別子をピクチャタイプに応じて割り当てて画像パケット化するとともに、画像パケットを認識するためのビデオ識別子を記録した識別子情報を有するシステムデータに前記再生速度情報を記述して情報パケット化し、前記画像パケットと前記情報パケットとを含む多重化ストリームを生成する多重化部１８と、
前記多重化ストリームを所定の記録媒体１に記録する記録部１９と、
を有することを特徴とする画像情報記録装置５０を提供することにより、上記課題を解決する。
（２）上記（１）記載の画像情報記録装置５０で記録された多重化ストリームを記録媒体１から読み出す読出部２２と、
読み出された前記多重化ストリームに多重化された画像パケットのパケット識別子を取得する識別子取得部３２と、
後段の識別子照合部３９の指示に基づき前記多重化ストリーム中の各パケットを振分けることで、情報パケットをシステムデータ解析部３６に出力し、所定のパケット識別子を有する画像パケットを復号部２８に出力するデータ振分け部３４と、
前記データ振分け部３４で振分けられた画像パケットを復号する復号部２８と、
前記データ振分け部３４で振分けられた前記情報パケットから前記識別子情報と前記再生速度情報とを取得するシステムデータ解析部３６と、
前記多重化ストリームの再生可能速度を前記再生速度情報から取得し、当該再生可能速度の中から前記多重化ストリームの再生速度を選択する再生速度選択部２４と、
前記再生速度選択部２４で選択された再生速度と対応した前記再生速度情報から前記識別子マスクを取得する識別子マスク取得部３８と、
前記識別子取得部３２で取得された画像パケットのパケット識別子と前記識別子情報に記録されたビデオ識別子とに対し、画像パケットのパケット識別子と前記ビデオ識別子との照合に関与するビットのみに前記識別子マスクによる前記再生速度に応じたマスク処理を施した上で照合を行い、マスク処理の施されるビットの範囲が前記識別子マスクによって変化することで、前記再生速度の再生に必要な画像パケットのパケット識別子と前記ビデオ識別子とを適合させて画像パケットとして認識させ、パケット識別子を有する画像パケットに対し前記復号部２８への振分け指示を行うとともに、前記情報パケットに対し所定の振分け指示を行う識別子照合部３９と、
を有することを特徴とする画像情報再生装置６０を提供することにより、上記課題を解決する。
（３）上記（１）記載の画像情報記録装置５０で記録された多重化ストリームを記録媒体１から読み出す読出部２２ａと、
読み出された前記多重化ストリームに多重化された画像パケットのパケット識別子を取得する識別子取得部３２ａと、
後段の識別子照合部３９ａの指示に基づき、前記多重化ストリーム中の情報パケットをシステムデータ解析部３６ａに出力し、所定のパケット識別子を有する画像パケットを識別子書換部４４に出力し、情報パケット及び画像パケットを除いたパケットを多重化部１８ａに出力するデータ振分け部３４ａと、
前記データ振分け部３４ａで振分けられた前記情報パケットから前記識別子情報と前記再生速度情報とを取得するとともに、当該情報パケットを再生速度情報除去部４２に出力するシステムデータ解析部３６ａと、
通常の再生速度と対応した前記再生速度情報から前記識別子マスクを取得する識別子マスク取得部３８ａと、
前記識別子取得部３２ａで取得された画像パケットのパケット識別子と前記識別子情報に記録されたビデオ識別子とに対し、画像パケットのパケット識別子と前記ビデオ識別子との照合に関与するビットのみに前記識別子マスクによる通常再生に応じたマスク処理を施した上で照合を行い、通常再生に必要な画像パケットのパケット識別子と前記ビデオ識別子とを適合させて画像パケットとして認識させ、適合したパケット識別子を有する画像パケットに対し識別子書換部４４への振分け指示を行うとともに、前記情報パケットに対し所定の振分け指示を行う識別子照合部３９ａと、
前記データ振分け部３４ａで振分けられた画像パケットのパケット識別子を前記ビデオ識別子に書換える識別子書換部４４と、
前記システムデータ解析部３６ａから出力された前記情報パケットから前記再生速度情報を除去する再生速度情報除去部４２と、
前記識別子書換部４４により識別子が書換えられた画像パケットと、前記再生速度情報除去部４２により再生速度情報が除去された情報パケットと、前記データ振分け部３４ａで振分けられたパケットと、を多重化して多重化ストリームを生成する多重化部１８ａと、
前記多重化部１８ａで生成された多重化ストリームを所定の記録媒体１ａに記録する記録部１９ａと、
を有することを特徴とする画像情報変換装置７０を提供することにより、上記課題を解決する。
【発明の効果】
【００１３】
本発明に係る画像情報記録装置、画像情報再生装置によれば、
画像パケットに再生速度に応じたパケット識別子を割り当てることで、特殊再生に必要な画像パケットのみを選別して復号処理を行うことが可能となり、通常再生と同等の複合処理能力で円滑な特殊再生を行うことができる。
また、本発明に係る画像情報変換装置によれば、本発明に係る画像情報記録装置で記録された動画像情報を通常の再生装置で再生可能な動画像情報に変換することができる。
【発明を実施するための最良の形態】
【００１４】
本発明に係る画像情報記録装置、画像情報再生装置及び画像情報変換装置の実施の形態について図面に基づいて説明する。図１は、本発明に係る画像情報記録装置の実施の一形態を示すブロック図である。図２は、本発明に係る画像情報記録装置及び画像情報再生装置におけるＭＰＥＧ-２ビデオ規格での記録再生を説明する図である。図３は、本発明に係る画像情報記録装置、画像情報再生装置及び画像情報変換装置に用いるパケット識別子の例を示す図である。図４は、本発明に係る画像情報記録装置、画像情報再生装置及び画像情報変換装置に用いる再生速度情報を示す図である。図５は、本発明に係る画像情報記録装置及び画像情報再生装置におけるＭＰＥＧ−４  ＡＶＣ規格での記録再生を説明する図である。図６は、本発明に係る画像情報再生装置の実施の一形態を示すブロック図である。図７は、本発明に係る画像情報変換装置の実施の一形態を示すブロック図である。尚、図１、図６、図７において、本発明に直接関係のないブロックに関しては記載及び説明を省略するものとする。また、以下の記述において、画像パケットの識別子をパケット識別子と記載し、多重化ストリームに多重化されている全てのパケットの識別子を包括して示す場合及び画像パケット以外のパケットの識別子を示す場合には単に識別子と記載して両者を区別する。
【００１５】
先ず、本発明に係る画像情報記録装置の一実施の形態を図１を用いて説明する。
【００１６】
図１に示す画像情報記録装置５０の再生速度設定部１２は、画像情報記録装置５０で記録した動画像情報を再生する際の再生速度を通常再生を含めて複数設定する。この再生速度の設定は、ユーザによるタッチパネルや所定のボタン操作などによる指示動作、もしくは画像情報記録装置５０に予め設定されている再生速度の選択等により行われる。そして、再生速度設定部１２は、設定された複数の再生速度を、符号化部１４、識別子設定部１５、及び再生速度情報作成部１６に出力する。
【００１７】
符号化部１４は、動画像情報取得部１１で取得したデジタル信号化された動画像情報の各ピクチャを、ＭＰＥＧビデオ規格に準拠し、さらに再生速度設定部１２で設定された複数の再生速度に対応した配列順となるようにピクチャタイプ（Ｉピクチャ、Ｐピクチャ、Ｂピクチャ）を選択して符号化し各ピクチャごとの符号化データを作成する。そして、作成された符号化データを多重化部１８に出力する。
【００１８】
識別子設定部１５は、再生速度設定部１２で設定された再生速度の設定数に応じて前記符号化データに割り当てる複数のパケット識別子を設定し、多重化部１８に出力する。
【００１９】
また、再生速度情報作成部１６は、再生速度設定部１２で設定された再生速度ごとに所定の再生速度情報を作成する。
【００２０】
尚、上記の符号化部１４、識別子設定部１５、再生速度情報作成部１６の詳細な動作は後に詳述する。
【００２１】
多重化部１８は、符号化部１４で作成された各ピクチャの符号化データに対し、そのピクチャタイプに応じて識別子設定部１５で設定されたパケット識別子を割り当てた上でパケット化し画像パケットを作成する。また、多重化部１８は、再生速度情報作成部１６で作成された再生速度情報を動画像情報のシステムデータの一つであるＰＭＴ（Ｐｒｏｇｒａｍ  Ｍａｐ  Ｔａｂｌｅ）中の記述子（Ｄｅｓｃｒｉｐｔｏｒ）に書き込んだ上でパケット化し情報パケットを作成する。さらに、多重化部１８は、これら画像パケットと情報パケットとオーディオストリーム等の画像情報に付随するデータとを多重化して多重化ストリームを作成し記録部１９に出力する。尚、ＰＭＴには多重化ストリーム中の画像パケットの識別に用いる一般的なビデオ識別子と各パケットを識別するための各パケットの識別子が記録された識別子情報を含んでいる。ただし、この識別子情報には識別子設定部１５で設定されたパケット識別子は記録されていない。
【００２２】
記録部１９は、多重化部１８で作成された多重化ストリームを、ＤＶＤ（Ｄｉｇｉｔａｌ  Ｖｅｒｓａｔｉｌｅ  Ｄｉｓｃ）−Ｒ、ＤＶＤ−ＲＷ等の光情報記録媒体、ハードディスク、半導体メモリ等の所定の記録媒体１に記録する。
【００２３】
次に、本発明に係る画像情報記録装置５０の特に符号化部１４、識別子設定部１５、再生速度情報作成部１６の動作を詳細に説明する。
【００２４】
図２は、再生速度設定部１２で設定された再生速度が通常再生、３倍速および１２倍速の特殊再生である場合の、ＭＰＥＧ-２ビデオ規格に準拠して圧縮符号化したときの各ピクチャのピクチャタイプとその配列等を示したものである。ここで、図２（ａ）は、動画像情報取得部１１で取得される動画像情報の各ピクチャを取得順に示したものである。尚、図２（ａ）は、後述する画像情報再生装置６０で通常再生する際の再生ピクチャも同時に示している。また、図２（ｂ）、（ｃ）は、後述する画像情報再生装置６０で３倍速および１２倍速で特殊再生する際の再生ピクチャをそれぞれ示している。また、図２（ｄ）は、図２（ａ）に示す各ピクチャを符号化部１４において符号化する際の符号化順とそのピクチャタイプの配列を示したものである。また、図２（ｅ）は、図２（ｄ）に示したピクチャの符号化データにそれぞれ割り当てるパケット識別子を示したものである。尚、図２（ａ）〜（ｄ）、及び後述する図５（ａ）〜（ｇ）に示す各ピクチャに記載されたナンバーの先頭のＩ、Ｐ、ＢはそれぞれＩピクチャ、Ｐピクチャ、Ｂピクチャを示し、続く数字はピクチャの取得順序を示すものとする。
【００２５】
図２に示すように、再生速度設定部１２で設定された再生速度が通常再生、３倍速および１２倍速の場合、画像情報記録装置５０の符号化部１４は、図２（ａ）〜（ｃ）に示すように、Ｉピクチャを１２周期とし且つＩピクチャとＰピクチャとが３周期となるように各ピクチャの圧縮符号化を行う。そして、図２（ｄ）に示すように、参照ピクチャとなるＩピクチャが先頭となるように各ピクチャの符号化データ（画像パケット）を配列する。尚、再生速度設定部１２で設定する特殊再生速度が３倍速および１５倍速であれば、符号化部１４はＩピクチャを１５周期とし且つＩピクチャとＰピクチャとが３周期となるように各ピクチャの圧縮符号化を行う。また、再生速度設定部１２で設定する特殊再生速度が４倍速および１６倍速であれば、符号化部１４はＩピクチャを１６周期とし且つＩピクチャとＰピクチャとが４周期となるように各ピクチャの圧縮符号化を行う。ただし、本発明はピクチャタイプを選択して特殊再生を行うものであるから、再生速度設定部１２で設定可能な再生速度の設定数は、圧縮符号化時のピクチャタイプの種類の数を超えることはできない。
【００２６】
識別子設定部１５は、前述のように再生速度設定部１２で設定した再生速度の設定数に応じてパケット識別子を設定する。そして、多重化部１８は各ピクチャの符号化データに識別子設定部１５で設定されたパケット識別子をピクチャタイプに応じて割り当てる。図２の例では、特殊再生速度が３倍速および１２倍速の２つの例を示しているため、識別子設定部１５は、図３（ａ）に示すように、通常再生と２つの特殊再生速度に対応する３つのパケット識別子、即ち第１識別子０×１０００、第２識別子０×１００１、第３識別子０×１００２を設定する。そして、多重化部１８は、図２（ｅ）に示すように、Ｉピクチャに第１識別子０×１０００を、Ｐピクチャに第２識別子０×１００１を、Ｂピクチャに第３識別子０×１００２を、それぞれ割り当てた上でパケット化し、画像パケットとして多重化する。尚、第１識別子０×１０００はビデオ識別子と同等なものである。
【００２７】
また、画像情報記録装置５０の再生速度情報作成部１６は再生速度設定部１２で設定された再生速度ごとに再生速度情報を作成する。ここで、再生速度情報作成部１６で作成される再生速度情報の例を図４（ａ）に示す。再生速度情報は、図４（ａ）に示されるように、再生速度のエントリーＮｏ．であるｅｎｔｒｙ＿ｎｕｍと、各エントリーの再生速度が低速再生であるか高速（通常）再生であるかを示すｓｐｅｅｄ＿ｆｌａｇと、再生速度を示すｓｐｅｅｄと、識別子の照合時にマスク処理を施して画像パケットの選別を行うためのｐｉｄ＿ｍａｓｋ（識別子マスク）とから構成される。尚、図４（ａ）中のｒｅｓｅｒｖｅｄは記述子に記述する際のビット数を調整するものである。
【００２８】
次に、図２の例で作成される再生速度情報の各値等を図４（ｂ）に示す。図２の例においては、再生速度は通常再生と３倍速と１２倍速の３種類であるから、再生速度情報作成部１６が作成する再生速度情報はｅｎｔｒｙ＿ｎｕｍ１〜３の３つとなる。ここで、ｅｎｔｒｙ＿ｎｕｍ１の再生速度情報を通常再生とすれば、ｅｎｔｒｙ＿ｎｕｍ１のｓｐｅｅｄは１となる、そしてこのときのｐｉｄ＿ｍａｓｋを０×０００３とする。また、ｅｎｔｒｙ＿ｎｕｍ２の再生速度情報を３倍速の特殊再生とすれば、ｅｎｔｒｙ＿ｎｕｍ２のｓｐｅｅｄは３となる、そしてこのときのｐｉｄ＿ｍａｓｋを０×０００１とする。また、ｅｎｔｒｙ＿ｎｕｍ３の再生速度情報を１２倍速の特殊再生とすれば、ｅｎｔｒｙ＿ｎｕｍ３のｓｐｅｅｄは１２となる、そしてこのときのｐｉｄ＿ｍａｓｋを０×００００とする。尚、ｅｎｔｒｙ＿ｎｕｍ１〜３は通常の再生速度もしくは高速の再生速度のため、ｓｐｅｅｄ＿ｆｌａｇは０となる。これらの再生速度情報は、多重化部１８でＰＭＴ中の記述子に書き込まれた上でパケット化され情報パケットとして多重化される。
【００２９】
次に、ＭＰＥＧ−４  ＡＶＣ規格を用いた例を説明する。図５は、再生速度設定部１２で設定された再生速度が通常再生及び、１／４倍速、１／２倍速、３倍速、１２倍速の特殊再生である場合の、ＭＰＥＧ−４  ＡＶＣ規格に準拠して圧縮符号化したときの各ピクチャのピクチャタイプとその配列等を示したものである。尚、本発明を用いて１／４倍速の特殊再生を達成するためには、画像情報記録装置５０で記録する動画像情報は通常の４倍の撮影速度で撮影する必要がある。ここで、図５（ａ）は、動画像情報取得部１１で取得される動画像情報の各ピクチャを取得順に示したものである。尚、図５（ａ）は、後述する画像情報再生装置６０で１／４倍速の特殊再生する際の再生ピクチャも同時に示している。また、図５（ｂ）〜（ｅ）は、後述する画像情報再生装置６０で１／２倍速、通常再生、３倍速、１２倍速で再生する際の再生ピクチャをそれぞれ示している。また、図５（ｆ）は、各ピクチャの参照ピクチャの構成を示している。また、図５（ｇ）は、図５（ａ）に示す各ピクチャを符号化部１４において符号化する際の符号化順とそのピクチャタイプの配列を示したものである。また、図５（ｈ）は、図５（ｇ）に示したピクチャの符号化データにそれぞれ割り当てるパケット識別子を示したものである。
【００３０】
再生速度設定部１２で設定された再生速度が１２倍速、３倍速、通常再生、１／２倍速、１／４倍速、である場合、画像情報記録装置５０の符号化部１４は、図５（ａ）〜（ｅ）に示されるように、Ｉピクチャが４８周期となるように、またＰピクチャがＩピクチャ間で１２周期となるように、またＩピクチャまたはＰピクチャを参照ピクチャとして用いるＢピクチャ（図５におけるピクチャＢ４、Ｂ８）（以後、第１Ｂピクチャと称する。）を参照ピクチャ間（Ｉピクチャ−Ｐピクチャ間、もしくはＰピクチャ−Ｐピクチャ間）で４周期となるように、また少なくとも一方の参照ピクチャに第１Ｂピクチャを用いるＢピクチャ（図５におけるピクチャＢ２、Ｂ６、Ｂ１０）（以後、第２Ｂピクチャと称する。）を参照ピクチャ間（Ｉピクチャ−第１Ｂピクチャ間、Ｐピクチャ−第１Ｂピクチャ間、第１Ｂピクチャ−第１Ｂピクチャ間）で２周期となるように、また少なくとも一方の参照ピクチャに第２Ｂピクチャを用いるＢピクチャ（図５（ａ）におけるピクチャＢ１、Ｂ３、Ｂ５、Ｂ７、Ｂ９）（以後、第３Ｂピクチャと称する。）が２周期となるように、各ピクチャの圧縮符号化を行う。そして、図５（ｇ）に示すようにそれぞれのピクチャの符号化データを配列する。この各ピクチャの配列の周期は図２同様、再生速度設定部１２で設定された再生速度によって変化する。
【００３１】
そして、識別子設定部１５は再生速度設定部１２で設定される再生速度の設定数に応じてパケット識別子を設定する。図５の例では、設定される再生速度の設定数が通常再生を含めて５つの例を示しているため、識別子設定部１５は、図３（ｂ）に示すように、５つのパケット識別子として第１〜第５識別子を設定する。そして多重化部１８は、識別子設定部１５で設定されたパケット識別子を、図５（ｈ）に示すように、Ｉピクチャに第１識別子０×１０００を、Ｐピクチャに第２識別子０×１００１を、第１Ｂピクチャに第３識別子０×１００２を、第２Ｂピクチャに第４識別子０×１００４を、第３Ｂピクチャに第５識別子０×１００８を、ピクチャタイプに応じてそれぞれ割り当てた上でパケット化し、画像パケットとして多重化する。
【００３２】
また、画像情報記録装置５０の再生速度情報作成部１６は、上記の５つの再生速度の対応した、図４（ｃ）に示すような、５つの再生速度情報を作成する。ここで、ｅｎｔｒｙ＿ｎｕｍ１を通常再生の再生速度情報とすれば、ｅｎｔｒｙ＿ｎｕｍ１のｓｐｅｅｄは１となり、そしてこのときのｐｉｄ＿ｍａｓｋを０×０００３とする。また、ｅｎｔｒｙ＿ｎｕｍ２を３倍速の再生速度情報とすれば、ｅｎｔｒｙ＿ｎｕｍ２のｓｐｅｅｄは３となり、そしてこのときのｐｉｄ＿ｍａｓｋを０×０００１とする。また、ｅｎｔｒｙ＿ｎｕｍ３を１２倍速の再生速度情報とすれば、ｅｎｔｒｙ＿ｎｕｍ３のｓｐｅｅｄは１２となり、そしてこのときのｐｉｄ＿ｍａｓｋを０×００００とする。また、ｅｎｔｒｙ＿ｎｕｍ４を１／２倍速の再生速度情報とすれば、ｅｎｔｒｙ＿ｎｕｍ４のｓｐｅｅｄ＿ｆｌａｇは低速再生を示す１、ｓｐｅｅｄは２となり、そしてこのときのｐｉｄ＿ｍａｓｋを０×０００７とする。また、ｅｎｔｒｙ＿ｎｕｍ５を１／４倍速の再生速度情報とすれば、ｅｎｔｒｙ＿ｎｕｍ５のｓｐｅｅｄ＿ｆｌａｇは低速再生を示す１、ｓｐｅｅｄは４となり、そしてこのときのｐｉｄ＿ｍａｓｋを０×０００Ｆとする。これらの再生速度情報は、多重化部１８でＰＭＴ中の記述子に書き込まれた上でパケット化され情報パケットとして多重化される。
【００３３】
以上のことから、画像情報記録装置５０で記録される多重化ストリーム中には、ピクチャタイプに応じてパケット識別子が割り当てられた画像パケットと再生速度情報が書き込まれた情報パケットとが含まれることとなる。
【００３４】
次に、本発明に係る画像情報再生装置の一実施の形態の構成及び動作を図６を用いて説明する。
【００３５】
図６に示す本発明に係る画像情報再生装置６０の読出部２２は、画像情報記録装置５０によって記録された多重化ストリームを記録媒体１から読出して識別子取得部３２に出力する。
【００３６】
識別子取得部３２は、読出部２２によって読み出された多重化ストリーム中の各パケットの識別子を取得して識別子照合部３９に出力する。
【００３７】
識別子照合部３９は識別子取得部３２で取得された識別子を予め記録されているＰＡＴ（Ｐｒｏｇｒａｍ  Ａｓｓｏｃｉａｔｉｏｎ  Ｔａｂｌｅ）の識別子と照合し、一致したパケットをシステムデータ解析部３６に振分けるようデータ振分け部３４に指示する。尚、ＰＡＴとは、ＭＰＥＧ-２システム規格、ＭＰＥＧ−４  ＡＶＣ規格等に準拠した情報パケットの一つである。
【００３８】
データ振分け部３４は識別子照合部３９の指示を受けて、ＰＡＴの識別子を有する情報パケット、即ちＰＡＴそのものをシステムデータ解析部３６に出力する。
【００３９】
システムデータ解析部３６は、データ振分け部３４から出力されたＰＡＴを解析してＰＭＴの識別子を取り出し識別子照合部３９に出力する。
【００４０】
識別子照合部３９はシステムデータ解析部３６からのＰＭＴの識別子と、識別子取得部３２からの各パケットの識別子とを照合し、一致したパケットをシステムデータ解析部３６に振分けるようデータ振分け部３４に指示する。
【００４１】
データ振分け部３４は識別子照合部３９の指示を受けて、ＰＭＴの識別子を有する情報パケット、即ちＰＭＴそのものをシステムデータ解析部３６に出力する。
【００４２】
システムデータ解析部３６はデータ振分け部３４から出力されたＰＭＴを解析し、ビデオ識別子、オーディオストリームの識別子、及びその他の識別子が記録された識別子情報を取り出して識別子照合部３９に出力する。
【００４３】
また、システムデータ解析部３６は、動画像情報を記録する際に再生速度情報作成部１６で作成された再生速度情報をＰＭＴから取り出して識別子マスク取得部３８に出力する。
【００４４】
画像情報再生装置６０の再生速度選択部２４は、識別子マスク取得部３８に出力された再生速度情報から再生速度設定部１２で設定された再生速度を取得して、これを再生可能速度として図示しない表示部等に表示し、記録媒体１に記録された動画像情報の再生速度を再生可能速度の中からユーザ等に選択させ、その再生速度を識別子マスク取得部３８に出力する。
【００４５】
識別子マスク取得部３８は、再生速度選択部２４で選択された再生速度に対応する再生速度情報からｐｉｄ＿ｍａｓｋを取得して識別子照合部３９に出力する。
【００４６】
識別子照合部３９は、識別子取得部３２から得られる各パケットの識別子とシステムデータ解析部３６で取得された識別子情報とを照合する。このとき、画像パケットを識別する際には、識別子取得部３２から得られる各パケットの識別子と識別子情報のビデオ識別子とに対し識別子マスク取得部３８から取得したｐｉｄ＿ｍａｓｋによるマスク処理を施した上で識別子の照合を行う。そして、マスク処理が施された上で、画像パケットのパケット識別子と識別子情報のビデオ識別子とが適合した場合、識別子照合部３９はその適合したパケットのみを画像パケットとして認識し、復号部２８に出力するようデータ振分け部３４に指示する。また、識別子取得部３２からのパケットの識別子が識別子情報中のビデオ識別子以外の識別子と適合した場合、識別子照合部３９はその適合した識別子を有するパケットをそれぞれの処理部７に出力するようデータ振分け部３４に指示する。
【００４７】
データ振分け部３４は識別子照合部３９に指示された画像パケットを復号部２８に出力する。また、識別子照合部３９の指示に基づきその他の識別子を有するパケットをそれぞれの処理部７に出力する。
【００４８】
復号部２８に出力された画像パケットは、周知の手法により復号されて再生画像信号となり、モニタ等の表示手段等により動画像として表示される。また、処理部７に出力されたパケットは、処理部７においてそれぞれのパケットに応じた処理がなされる。例えば、オーディオストリームのパケットの場合は、処理部７において処理された後、動画像の音声としてスピーカ等の音声出力手段で出力される。
【００４９】
尚、識別子設定部１５で設定するパケット識別子、ｐｉｄ＿ｍａｓｋ、及び、その他のパケットの識別子は、ｐｉｄ＿ｍａｓｋがパケット識別子とビデオ識別子との照合にのみ関与するよう適切に設定する。これにより、パケット識別子以外の識別子を有するパケットは、識別子照合部３９の指示によりそれぞれの処理部７に適切に振分けられる。
【００５０】
次に、識別子照合部３９による画像パケットの識別動作を詳細に説明する。
【００５１】
先ず、図２のＭＰＥＧ-２ビデオ規格を用いた例で説明する。前述のように、識別子照合部３９は識別子マスク取得部３８から再生速度選択部２４で選択された再生速度に応じたｐｉｄ＿ｍａｓｋを取得して、このｐｉｄ＿ｍａｓｋによるマスク処理を施した上で、各パケットの識別子とビデオ識別子との照合を行う。尚、識別子情報に記録されたビデオ識別子は通常用いられる０×１０００として説明を行う。
【００５２】
再生速度選択部２４で選択された再生速度が３倍速の特殊再生の場合、識別子照合部３９で取得するｐｉｄ＿ｍａｓｋは０×０００１となる。ここで便宜的に、ｐｉｄ＿ｍａｓｋ及び識別子設定部１５で設定されたパケット識別子である第１〜第３識別子の下１桁を２進数化したものを（  ）内に表記する。この場合、ｐｉｄ＿ｍａｓｋの下一桁は（０００１）となり、同様に第１識別子は（００００）、第２識別子は（０００１）、第３識別子は（００１０）となる。識別子照合部３９は、ｐｉｄ＿ｍａｓｋの”１”のビット（即ち２進数化したｐｉｄ＿ｍａｓｋ  （０００１）の１桁目）をマスクして識別子の照合を行うため、ビデオ識別子は実質的に（０００□）（□はマスクされたビット）となり、第１識別子（００００）と第２識別子（０００１）は実質的に（０００□）となる。よって、ビデオ識別子と第１識別子と第２識別子とが適合し、識別子照合部３９はビデオ識別子と第１識別子と第２識別子とを有するＩピクチャ、Ｐピクチャの画像パケットを、画像パケットとして認識して復号部２８に振分けるよう指示する。しかしながら、第３識別子（００１０）は実質的に（００１□）となり実質的なビデオ識別子（０００□）とは適合しない。従って、第３識別子を有するＢピクチャの画像パケットは画像パケットとして認識されず、データ振分け部３４への振分け指示は行われない。よって、このときの再生画像は、図２（ｂ）の斜線のピクチャ、即ちＩピクチャ、Ｐピクチャのみが再生される３倍速の再生画像となる。
【００５３】
また、選択された再生速度が１２倍速の場合、ｐｉｄ＿ｍａｓｋは０×００００でありマスク処理は施されないため、識別子照合部３９はビデオ識別子０×１０００と同一の第１識別子０×１０００を有するＩピクチャの画像パケットのみを画像パケットとして認識し振分け指示を行う。よってこのときの再生画像は、図２（ｃ）の斜線のピクチャ、即ちＩピクチャのみが再生される１２倍速の再生画像となる。
【００５４】
また、選択された再生速度が通常再生の場合、ｐｉｄ＿ｍａｓｋは０×０００３となり、識別子照合部３９は、ｐｉｄ＿ｍａｓｋの”１”のビット（即ち２進数化したｐｉｄ＿ｍａｓｋ  （００１１）の１桁目と２桁目）をマスクして識別子の照合を行う。従って、ビデオ識別子は実質的に（００□□）となり、第１識別子（００００）と第２識別子（０００１）と第３識別子（００１０）とは実質的に全て（００□□）となる。よって、識別子照合部３９は第１識別子（００００）と第２識別子（０００１）に加え、第３識別子（００１０）を有する画像パケットも画像パケットとして認識し、全ての画像パケットに対し復号部２８への振分け指示が行われる。よって、このときの再生画像は、図２（ａ）の斜線のピクチャ、即ちＩピクチャ、Ｐピクチャ、Ｂピクチャの全てが揃った通常速度の再生画像となる。
【００５５】
次に、図５のＭＰＥＧ−４  ＡＶＣ規格を用いた例を説明する。
【００５６】
選択された再生速度が１２倍速の場合、取得されるｐｉｄ＿ｍａｓｋは０×００００でありマスク処理は施されない。よって、識別子照合部３９はビデオ識別子０×１０００と同一の第１識別子０×１０００を有するＩピクチャの画像パケットのみを画像パケットとして認識し、これによる再生画像は、図５（ｅ）の斜線のピクチャ、即ちＩピクチャのみが再生される１２倍速の再生画像となる（尚、撮影速度に対しては４８倍速であるが、図５の例では４倍速で撮影されているため、図５（ｅ）に示す再生ピクチャは１２倍速となる。）。
【００５７】
３倍速の再生速度が選択された場合、取得されるｐｉｄ＿ｍａｓｋは０×０００１であり、識別子照合部３９は２進数化したｐｉｄ＿ｍａｓｋ（０００１）の”１”のビットをマスクして識別子の照合を行う。従って、ビデオ識別子は実質的に（０００□）となり、第１識別子０×１０００（実質的に（０００□））と第２識別子０×１００１（実質的に（０００□））とを有するＩピクチャ、Ｐピクチャの画像パケットのみが画像パケットとして認識される。よって、このときの再生画像は、図５（ｄ）の斜線のピクチャ、即ちＩピクチャとＰピクチャのみが再生される３倍速の再生画像となる。
【００５８】
また、通常の再生速度が選択された場合、取得されるｐｉｄ＿ｍａｓｋは０×０００３であり、識別子照合部３９は２進数化したｐｉｄ＿ｍａｓｋ（００１１）の”１”のビットをマスクして識別子の照合を行う。従って、ビデオ識別子は実質的に（００□□）となり、第１識別子（実質的に（００□□））と第２識別子（実質的に（００□□））と第３識別子（実質的に（００□□））を有するＩ、Ｐ、第１Ｂピクチャの画像パケットのみが画像パケットとして認識される。しかしながら、第４識別子（実質的に（０１□□））と第５識別子（実質的に（１０□□））とは実質的なビデオ識別子（００□□）とは適合せず、第４識別子と第５識別子とを有する画像パケットは画像パケットとして認識されない。従って、このときの再生画像は、図５（ｃ）の斜線のピクチャ、即ちＩピクチャとＰピクチャと第１Ｂピクチャが再生される通常速度の再生画像となる。
【００５９】
また、１／２倍速の特殊再生が選択された場合、取得されるｐｉｄ＿ｍａｓｋは０×０００７であり、識別子照合部３９は２進数化したｐｉｄ＿ｍａｓｋ（０１１１）の”１”のビットをマスクして識別子の照合を行う。従って、ビデオ識別子は実質的に（０□□□）となり、第５識別子０×１００８（下一桁２進数化（１０００）、実質的に（１□□□））を有する画像パケット以外の、第１識別子〜第４識別子を有する画像パケットが画像パケットとして認識される。よって、このときの再生画像は、図５（ｂ）の斜線のピクチャ、即ちＩピクチャ、Ｐピクチャ、第１Ｂピクチャ、及び第２Ｂピクチャが再生される１／２倍速の再生画像となる。
【００６０】
また、１／４倍速の特殊再生が選択された場合、取得されるｐｉｄ＿ｍａｓｋは０×０００Ｆ（下一桁２進数化（１１１１））であり、ビデオ識別子は実質的に（□□□□）となり、第１識別子〜第５識別子の全ての画像パケットが画像パケットとして認識される。よって、このときの再生画像は、図５（ａ）の斜線で示す全てのピクチャが再生される１／４倍速の再生画像となる。
【００６１】
尚、図５の例に、通常の撮影速度で取得した動画像情報を適用した場合、再生可能速度は、通常再生に加え、２倍速、４倍速、１２倍速、４８倍速となる。
【００６２】
以上のように画像情報再生装置６０は、画像パケットの識別に際して選択された再生速度に対応したｐｉｄ＿ｍａｓｋを取得して、このｐｉｄ＿ｍａｓｋによるマスク処理を施した上で識別子の照合を行うことで、選択された再生速度による再生に必要な画像パケットのみを復号部２８に出力する。このため、復号部２８が通常速度に対応した復号処理能力しか備えていない場合でも、円滑な特殊再生を実現することができる。
【００６３】
尚、上記の画像情報記録装置５０により記録された多重化ストリームは、画像パケットのパケット識別子に通常のビデオ識別子とは異なる識別子設定部１５で設定されたパケット識別子が割り当てられているため、このままでは、画像情報再生装置６０を備えていない再生機器では再生時に不具合が生じる。よって、次に、画像情報記録装置５０により記録された多重化ストリームを画像情報再生装置６０を備えていない再生機器で再生可能とする本発明に係る画像情報変換装置の構成及び動作を説明する。
【００６４】
図７は、本発明に係る画像情報変換装置の一実施の形態を示すブロック図である。図７に示す画像情報変換装置７０の読出部２２ａは、画像情報記録装置５０で記録媒体１に記録された多重化ストリームを読出して識別子取得部３２ａに出力する。
【００６５】
識別子取得部３２ａは、読出部２２ａによって読み出された多重化ストリーム中の各パケットの識別子を取得して識別子照合部３９ａに出力する。
【００６６】
識別子照合部３９ａは識別子取得部３２ａで取得されたパケットの識別子を予め記録されているＰＡＴの識別子と照合し、一致したパケットをシステムデータ解析部３６ａに振分けるようデータ振分け部３４ａに指示する。
【００６７】
データ振分け部３４ａは識別子照合部３９ａの指示を受けて、ＰＡＴの識別子を有するパケット、即ちＰＡＴそのものをシステムデータ解析部３６ａに出力する。
【００６８】
システムデータ解析部３６ａは、ＰＡＴを解析してＰＭＴの識別子を取り出し識別子照合部３９ａに出力する。
【００６９】
識別子照合部３９ａは、識別子取得部３２ａからの各パケットの識別子とＰＭＴの識別子とを照合し、一致したパケットをシステムデータ解析部３６ａに振分けるようデータ振分け部３４ａに指示する。
【００７０】
データ振分け部３４ａは識別子照合部３９ａの指示を受けて、ＰＭＴの識別子を有するパケット、即ちＰＭＴそのものをシステムデータ解析部３６ａに出力する。
【００７１】
システムデータ解析部３６ａはＰＭＴを解析し、各パケットの識別子が記録された識別子情報を取り出して識別子照合部３９ａに出力する。また、システムデータ解析部３６ａは、動画像情報の記録時に再生速度情報作成部１６で作成された再生速度情報をＰＭＴから取り出して識別子マスク取得部３８ａに出力する。さらに、システムデータ解析部３６ａは再生速度情報を有するＰＭＴを再生速度情報除去部４２に出力する。
【００７２】
識別子マスク取得部３８ａはシステムデータ解析部３６ａからの再生速度情報を参照し通常再生に対応した再生速度情報のｐｉｄ＿ｍａｓｋを取得して、識別子照合部３９ａに出力する。
【００７３】
識別子照合部３９ａは、画像パケットの識別に際して画像情報再生装置６０と同様に、識別子マスク取得部３８ａから得られた通常再生に対応したｐｉｄ＿ｍａｓｋによるマスク処理を施した上で、識別子取得部３２ａからの各パケットの識別子とビデオ識別子とを照合する。これにより、識別子照合部３９ａは、図２、図５の例では第１識別子〜第３識別子を有する画像パケットを画像パケットとして認識し、これらの画像パケットを識別子書換部４４に振分けるようデータ振分け部３４ａに指示する。また、識別子取得部３２ａからのパケットの識別子が識別子情報中のその他の識別子と適合した場合、識別子照合部３９はその適合した識別子を有するパケットを多重化部１８ａに出力するようデータ振分け部３４ａに指示する。
【００７４】
識別子書換部４４はデータ振分け部３４ａから振分けられた画像パケットのパケット識別子を通常のビデオ識別子、例えば０×１０００に書換えた後に多重化部１８ａに出力する。
【００７５】
再生速度情報除去部４２は、システムデータ解析部３６ａから出力されたＰＭＴを受けて、ＰＭＴに記述された再生速度情報を除去し、再生速度情報を有さないＰＭＴとして多重化部１８ａに出力する。
【００７６】
多重化部１８ａは、識別子書換部４４で通常のビデオ識別子に書換えられた画像パケットと、再生速度情報除去部４２で再生速度情報が除去されたＰＭＴと、データ振分け部３４ａからの画像パケット以外のパケットとを再多重化して多重化ストリームを作成し、記録部１９ａに出力する。
【００７７】
記録部１９ａは多重化部１８ａで再多重化された多重化ストリームを所定の記録媒体１ａに記録する。尚、記録媒体１が書換え可能な記録媒体である場合、記録部１９ａは記録媒体１に再多重化された多重化ストリームを記録しても良い。
【００７８】
上記のようにして記録媒体１ａに記録された多重化ストリームは、画像パケットの識別子が識別子設定部１５で設定されたパケット識別子から通常のビデオ識別子に書換えられ、またＰＭＴの再生速度情報が除去されているため、画像情報再生装置６０を備えていない再生機器でも動画像情報を良好に再生することができる。尚、図５の例においては、通常再生に必要ない第５識別子、第６識別子を有するピクチャの符号化データは除去される。
【００７９】
以上のことから、本発明に係る画像情報記録装置５０、画像情報再生装置６０によれば、画像パケットにピクチャタイプに応じたパケット識別子を割当て、さらにｐｉｄ＿ｍａｓｋを有する再生速度情報を情報パケットであるＰＭＴに記述して記録し、再生時には選択された再生速度に対応したｐｉｄ＿ｍａｓｋを用いた識別子照合を行うことで、選択された再生速度に必要な画像パケットのみを復号部２８に出力する。このため、復号部２８は不必要な画像パケットを復号する必要が無く、よって復号部２８が通常速度に対応した復号処理能力しか備えていない場合でも、良好かつ円滑な特殊再生を実現することができる。
【００８０】
また、本発明に係る画像情報変換装置７０によれば、画像情報記録装置５０で記録された動画像情報を、画像情報再生装置６０を備えていない再生機器で再生可能なように変換することができる。
【図面の簡単な説明】
【００８１】
【図１】本発明に係る画像情報記録装置の実施の一形態を示すブロック図である。
【図２】本発明に係る画像情報記録装置及び画像情報再生装置におけるＭＰＥＧ-２ビデオ規格での記録再生を説明する図である。
【図３】本発明に係る画像情報記録装置、画像情報再生装置及び画像情報変換装置に用いるパケット識別子の例を示す図である。
【図４】本発明に係る画像情報記録装置、画像情報再生装置及び画像情報変換装置に用いる再生速度情報を示す図である。
【図５】本発明に係る画像情報記録装置及び画像情報再生装置におけるＭＰＥＧ−４  ＡＶＣ規格での記録再生を説明する図である。
【図６】本発明に係る画像情報再生装置の実施の一形態を示すブロック図である。
【図７】本発明に係る画像情報変換装置の実施の一形態を示すブロック図である。
【符号の説明】
【００８２】
１、１ａ      記録媒体
１１    動画像情報取得部
１２    再生速度設定部
１４    符号化部
１５    識別子設定部
１６    速度情報作成部
１８、１８ａ    多重化部
１９、１９ａ    記録部
２２、２２ａ    読出部
２４    再生速度選択部
２８    復号部
３２、３２ａ    識別子取得部
３４、３４ａ    データ振分け部
３６、３６ａ    システムデータ解析部
３８、３８ａ    識別子マスク取得部
３９、３９ａ    識別子照合部
４２    再生速度情報除去部
４４    識別子書換部
５０    画像情報記録装置
６０    画像情報再生装置
７０    画像情報変換装置
【図１】
2009225340.tif 000003
【図２】
2009225340.tif 000004
【図３】
2009225340.tif 000005
【図４】
2009225340.tif 000006
【図５】
2009225340.tif 000007
【図６】
2009225340.tif 000008
【図７】
2009225340.tif 000009